(57)【要約】【課題】速い搬送速度を維持した状態で用紙を排紙し、排紙された用紙を排紙トレイで揃った状態で載置する。【解決手段】搬送される用紙を排紙トレイ５９上に排紙する排紙ローラ５７と、排紙トレイ５９の上方に所定の空間を有して配置され、排紙ローラ５７により排紙された用紙Ｐの先端が突き当たる突き当て部材５８ａ〜５８ｅが搬送方向に沿って複数設けられた用紙突き当て部５８と、排紙ローラ５７から排紙される用紙のサイズに応じて、排紙ローラ５７により複数の突き当て部材５８ａ〜５８ｅのいずれかに向けて排紙する排紙角度を制御する制御部６とを備える。【選択図】図３
2020050513.tif 000002
【特許請求の範囲】
【請求項１】
搬送される用紙を排紙トレイ上に排紙する排紙手段と、
前記排紙トレイの上方に所定の空間を有して配置され、前記排紙手段により排紙された用紙の先端が突き当たる突き当て部材が排紙方向に沿って複数設けられた用紙突き当て部と、
前記排紙手段から排紙される用紙のサイズに応じて、前記排紙手段により前記複数の突き当て部材のいずれかに向けて排紙する排紙角度を制御する制御手段と、
を備えたことを特徴とする排紙装置。
【請求項２】
前記用紙突き当て部材は、前記排紙手段側から順に重力方向の長さが長くなるように複数設けられている
ことを特徴とする請求項１記載の排紙装置。
【請求項３】
前記複数の突き当て部材は、それぞれ前記排紙方向と直交する幅方向を回転軸として回転自在に上端が吊り下げ設けられている
ことを特徴とする請求項１または２記載の排紙装置。
【請求項４】
前記複数の突き当て部材は、少なくとも前記排紙手段側に弾性部材を設けている
ことを特徴とする請求項１または２記載の排紙装置。
【発明の詳細な説明】
【技術分野】
【０００１】
本発明は、排紙された用紙を排紙トレイで揃った状態で載置される排紙装置に関する。
【背景技術】
【０００２】
一般的な画像処理装置では、印刷された用紙を排紙台に排紙する。このとき、排紙された用紙は排紙台で揃った状態で載置されることが望まれる。
【０００３】
特許文献１には、排紙トレイに積載された用紙の積載量に応じて、排紙トレイに排紙する用紙の排出角度を制御する排紙装置に関する技術が開示されている。
【先行技術文献】
【特許文献】
【０００４】
【特許文献１】特開２０１５−２２４０９９号公報
【発明の概要】
【発明が解決しようとする課題】
【０００５】
しかしながら、上記した特許文献１に開示の技術のように、排紙トレイに積載された用紙の積載量に応じて、排紙トレイに排紙する用紙の排出角度を制御するだけでは、排紙された用紙を排紙台で揃った状態で載置することは困難であった。
【０００６】
昨今、印刷処理能力の向上のため搬送速度が高速化されている。搬送速度が高速化すると、特許文献１に開示の技術では、用紙を適切に制止することができず排紙された用紙が飛び過ぎてしまい揃った状態で載置することが困難となる。
【０００７】
また、排紙する直前に搬送される用紙を減速させることも考えられる。しかしながら、上述した処理能力の向上のため、搬送される用紙間距離も極力短くなるように設定されているので、排出直前に搬送速度を低減させると、後続の用紙の先端と接触してしまう可能性がある。
【０００８】
また、昨今では省スペース化を実現するために、排紙台の上方にスキャナ等の装置が設けられることもある。このような場合、特許文献１に開示の技術では、排紙する角度が制限されるので、適切な角度を設定すること自体が困難となる。
【０００９】
本発明は上記に鑑みてなされたもので、速い搬送速度を維持した状態で用紙を排紙し、排紙された用紙を排紙トレイで揃った状態で載置する排紙装置を提供することを目的とする。
【課題を解決するための手段】
【００１０】
上記目的を達成するため、本発明に係る排紙装置の第１の特徴は、
搬送される用紙を排紙トレイ上に排紙する排紙手段と、
前記排紙トレイの上方に所定の空間を有して配置され、前記排紙手段により排紙された用紙の先端が突き当たる突き当て部材が排紙方向に沿って複数設けられた用紙突き当て部と、
前記排紙手段から排紙される用紙のサイズに応じて、前記排紙手段により前記複数の突き当て部材のいずれかに向けて排紙する排紙角度を制御する制御手段と、
を備えたことにある。
【発明の効果】
【００１１】
本発明に係る排紙装置の第１の特徴によれば、速い搬送速度を維持した状態で用紙を排紙し、排紙された用紙を排紙トレイで揃った状態で載置することができる。
【図面の簡単な説明】
【００１２】
【図１】本発明の第１の実施の形態に係る排紙装置が適用される印刷装置の概略構成図である。
【図２】図１に示す印刷装置の制御ブロック図である。
【図３】制御部による制御を説明した説明図である。
【図４】排紙した用紙Ｐを突き当て部材に突き当てる場合における用紙の挙動を説明した図である。
【図５】排紙した用紙Ｐを突き当て部材に突き当てる場合における用紙の挙動を説明した図である。
【図６】本発明の第２の実施の形態に係る排紙装置が適用される印刷装置の用紙突き当て部の説明図である。
【図７】本発明の第３の実施の形態に係る排紙装置が適用される印刷装置の用紙突き当て部の説明図である。
【図８】本発明の第４の実施の形態に係る排紙装置が適用される印刷装置の用紙突き当て部の説明図である。
【発明を実施するための形態】
【００１３】
以下、本発明の実施の形態について、図面を参照して説明する。各図面を通じて同一もしくは同等の部位や構成要素には、同一もしくは同等の符号を付している。
【００１４】
以下に示す実施形態は、この発明の技術的思想を具体化するための装置などを例示するものであって、この発明の技術的思想は、各構成部品の材質、形状、構造、配置などを下記のものに特定するものでない。この発明の技術的思想は、特許請求の範囲において、種々の変更を加えることができる。
【００１５】
（第１の実施の形態）
図１は、本発明の第１の実施の形態に係る排紙装置が適用される印刷装置１の概略構成図である。図２は、図１に示す印刷装置１の制御ブロック図である。以下の説明においては、図１の紙面に直交する方向を前後方向とし、紙面表方向を前方とする。また、図１における紙面の上下左右を上下左右方向とする。
【００１６】
なお、ここでは、スキャナ部で読み取った画像を印刷媒体上にプリントして出力する印刷装置１としてインクジェット（ＩＪ）プリンタを例示して説明するが、ＩＪプリンタにおいては、例えばＰＣ（パーソナルコンピュータ）などの外部機器から送信される原稿画像を印刷媒体上にプリントして出力することが可能な構成としても良い。
【００１７】
また、排紙装置としては、スキャナ部を備えるコピー機やファクシミリ装置、複数の機能を複合的に備えるデジタル複合機としてのＭＦＰ（Multi-Function Peripheral）などにも適用可能である。
【００１８】
図１に示す印刷装置１においては、印刷媒体である用紙Ｐの搬送を行う搬送経路が太線により示されている。搬送経路のうち、実線で示す経路が印刷部３の印刷経路ＲＰ、一点鎖線で示す経路が循環搬送部４の循環経路ＲＣ、破線で示す経路が排紙部５の第１排紙経路ＲＤ１および第２排紙経路ＲＤ２、二点鎖線で示す経路が給紙部２の外部給紙経路ＲＳ１および内部給紙経路ＲＳ２である。以下の説明における上流、下流は、搬送経路における上流、下流を意味する。
【００１９】
図１，図２に示すように、印刷装置１は、給紙部２と、印刷部３と、循環搬送部４と、排紙部５と、制御部６と、各部を収納または保持する筐体７と、筐体７に覆われた装置本体７Ａの上方に配置されるスキャナ部９とを備える。
【００２０】
スキャナ部９は、原稿上の画像データを光学的に読み取って印刷部３で印刷するための情報を得るためのものである。スキャナ部９は、例えば、多ページの原稿を連続して読み取ることが可能な、いわゆるＡＤＦ（Auto Document Feeder）付きの自動原稿読取装置（詳細な説明は省略する）である。
【００２１】
スキャナ部９は、スキャナ台９Ａによって装置本体７Ａの上方に配置可能とされている。
【００２２】
給紙部２は、印刷前の未印刷の用紙Ｐを印刷部３に給紙する。また、給紙部２は、両面印刷時に表面印刷後の用紙Ｐを印刷部３に再給紙する。給紙部２は、搬送経路の最も上流側に配置されている。給紙部２は、外部給紙台１１と、外部給紙ローラ１２と、内部給紙台１３Ａ，１３Ｂと、内部給紙ローラ１４Ａ，１４Ｂとを備える。
【００２３】
外部給紙台１１は、印刷に用いられる用紙Ｐが積載されるものである。外部給紙台１１は、一部が筐体７の外部に露出して設置されている。
【００２４】
外部給紙ローラ１２は、外部給紙台１１に積載された用紙Ｐを１枚ずつ取り込むとともに、外部給紙経路ＲＳ１に沿って印刷部３のレジストローラ３１へ向けて用紙Ｐを搬送する。
【００２５】
内部給紙台１３Ａ，１３Ｂは、印刷に用いられる用紙Ｐが積載されるものである。内部給紙台１３Ａ，１３Ｂは、筐体７の内部に配置されている。
【００２６】
内部給紙ローラ１４Ａ，１４Ｂは、それぞれ内部給紙台１３Ａ，１３Ｂに積載された用紙Ｐを１枚ずつ取り出し、用紙Ｐを搬送させる。
【００２７】
印刷部３は、用紙Ｐを搬送しつつ、用紙Ｐに画像を印刷する。印刷部３は、給紙部２の下流側に配置されている。印刷部３は、レジストローラ３１と、ベルト搬送部３３と、ベルトモータ３４と、ヘッドユニット３５とを備える。
【００２８】
レジストローラ３１は、搬送されてきた用紙Ｐを一旦止めて斜行補正した後、ベルト搬送部３３へ搬送する。レジストローラ３１は、印刷部３の上流部の印刷経路ＲＰ上に配置されている。
【００２９】
ベルト搬送部３３は、レジストローラ３１により搬送されてきた用紙Ｐをベルト上に吸着保持して搬送する。ベルト搬送部３３は、レジストローラ３１の下流側に配置されている。
【００３０】
ヘッドユニット３５は、用紙Ｐの搬送方向と直交する方向（前後方向）に沿って複数のノズルが配列されたラインタイプの複数のインクジェットヘッド（図示せず）を有する。ヘッドユニット３５は、ベルト搬送部３３の上方に配置されている。ヘッドユニット３５は、ベルト搬送部３３により搬送される用紙Ｐにインクジェットヘッドのノズルからインクを吐出して画像を印刷する。
【００３１】
循環搬送部４は、両面印刷時に表面印刷後の用紙Ｐを循環経路ＲＣに沿って搬送する。
【００３２】
排紙部５は、排紙ローラ５７と、用紙突き当て部５８と、排紙トレイ５９とを備えている。
【００３３】
排紙トレイ５９は、排紙方向上流側が重力方向下側となるように傾斜した状態で配置されている。排紙トレイ５９の上方には、スキャナ台９Ａの下面との間に所定の高さの空間が確保されるようになっている。
【００３４】
排紙ローラ５７は、印刷部３から搬送されてくる用紙Ｐを用紙突き当て部５８に突き当てて排紙トレイ５９へ排紙する。排紙ローラ５７は、第２排紙経路ＲＤ２に沿って配置されている。排紙ローラ５７は、後述するように、排紙する角度である排紙角度を変更可能に設けられている。
【００３５】
用紙突き当て部５８は、スキャナ部９の下面に設けられている。用紙突き当て部５８は、第２排紙経路ＲＤ２を搬送されて排紙ローラ５７により排紙された用紙Ｐの先端を突き当てるための突き当て部材５８ａ〜５８ｅを有している。突き当て部材５８ａ〜５８ｅは、用紙Ｐの搬送方向に所定の間隔を空けて設けられている。突き当て部材５８ａ〜５８ｅは、排紙ローラ５７側から順に重力方向の長さが長くなるように設けられている。排紙ローラ５７により排紙された用紙Ｐは、複数の突き当て部材５８ａ〜５８ｅのいずれかに突き当たり、突き当たった用紙Ｐはそのまま下方の排紙トレイ５９上に積載状態で集積される。
【００３６】
装置本体７Ａの上部側に対応する、例えば、スキャナ台９Ａの前面部には操作パネル１０が設けられる。操作パネル１０は、各種の操作キーやテンキーなどの入力部１０Ａの他、タッチパネル式の表示部１０Ｂを備える。操作パネル１０は、主にユーザが操作するもので、ジョブ（機能）の選択や動作の諸条件などの設定に用いられる。
【００３７】
制御部６は、操作パネル１０の操作に応じた動作プログラム（制御プログラム）にしたがって、印刷装置１の各部の動作を制御する。制御部６は、ＣＰＵ（図示省略）、およびＲＡＭ、ＲＯＭなどを備えて構成される。
【００３８】
制御部６には、記憶部８が接続されている。記憶部８は、各種の動作プログラムや処理ルーチンなどを記憶するとともに、ユーザの設定に基づいた諸条件などを一時的に記憶する。また、記憶部８は、例えば、スキャナ部９で読み取った各種の原稿上の画像データ（以下、原稿画像ともいう）も記憶する。
【００３９】
なお、記憶部８としては、スキャナ部９で読み取った原稿画像を含め、例えば、ＰＣからネット回線ＩＮＩを介して送信される原稿画像などを、原稿単位でプリントジョブ用の登録原稿として予め記憶できる、いわゆるボックス格納機能を備えるようにしても良い。
【００４０】
印刷部３で印刷された用紙Ｐの排紙先が後処理装置である場合、印刷済みの用紙Ｐは、第１排紙経路ＲＤ１へ導かれ、図示しない後処理装置へ排紙される。
【００４１】
これに対し、排紙先が排紙トレイ５９である場合、印刷済みの用紙Ｐは第２排紙経路ＲＤ２へ導かれ、排紙トレイ５９上へ排紙される。
【００４２】
制御部６は、排紙ローラ５７から排紙される用紙のサイズに応じて、複数の突き当て部材５８ａ〜５８ｅのいずれかに向けて排紙ローラ５７から排紙する排紙角度を制御する。
【００４３】
図３は、制御部６による制御を説明した説明図である。
【００４４】
図３に示すように、排紙ローラ５７は、排紙する角度である排紙角度を変更可能に設けられている。例えば、排紙した用紙Ｐを突き当て部材５８ａに突き当てる場合には、排紙角度θ１となるように、排紙ローラ５７をＡ１方向に回転させる（このときの排紙ローラ５７の位置を実線で示す）。一方、排紙した用紙Ｐを突き当て部材５８ｅに突き当てる場合には、排紙角度θ２となるように、排紙ローラ５７をＡ２方向に回転させる（このときの排紙ローラ５７の位置を破線で示す）。同様に、突き当て部材５８ｃ〜５８ｄに突き当てる場合にも同様に適切な排紙角度になるように、排紙ローラ５７をＡ１またはＡ２方向に回転させる。
【００４５】
このとき、排紙ローラ５７から完全に排紙されていない状態（ニップされた状態）で、用紙Ｐの先端が突き当て部材５８ｃ〜５８ｄのいずれかに突き当たると、用紙Ｐが湾曲して適切に用紙揃えができなくなる可能性がある。
【００４６】
そのため、制御部６は、排紙ローラ５７から突き当て部材までの距離が、用紙Ｐの搬送方向の長さ以上となるように、突き当て部材５８ｃ〜５８ｄのうちいずれに突き当てるかを決定する。
【００４７】
なお、排紙ローラ５７から排紙された用紙Ｐの飛行距離は短いほど飛行中に斜行する可能性が低いので、用紙Ｐの飛行距離は極力短い方がよい。そのため、排紙ローラ５７から突き当て部材５８までの距離が、用紙Ｐの搬送方向の長さ以上である突き当て部材５８ｃ〜５８ｄのうち最も排紙ローラ５７側にある突き当て部材に突き当てるように排紙角度を制御することが好ましい。
【００４８】
図４は、排紙した用紙Ｐを突き当て部材５８ａに突き当てる場合における用紙Ｐの挙動を説明した図である。
【００４９】
図４（ａ）に示すように、制御部６は、突き当て部材５８ａに用紙Ｐの先端が突き当てるため、排紙角度θ１となるように、排紙ローラ５７のＡ１方向に回転させる。
【００５０】
そして、制御部６は、排紙角度θ１の状態で、排紙ローラ５７に排紙させる。
【００５１】
これにより、図４（ｂ）に示すように、排紙ローラ５７により排紙された用紙Ｐは、突き当て部材５８ａに到達し先端が突き当たる。
【００５２】
突き当て部材５８ａに突き当たると、図４（ｃ）に示すように、用紙Ｐは速度がゼロとなり、そのまま排紙トレイ５９上に落下する。排紙トレイ５９は、排紙方向上流側が重力方向下側となるように傾斜した状態で配置されているので、用紙Ｐは、傾斜に沿って排紙方向上流側へとスライド移動する。このようにして用紙Ｐが傾斜した排紙トレイ５９上に載置される。
【００５３】
図５は、排紙した用紙Ｐを突き当て部材５８ｅに突き当てる場合における用紙Ｐの挙動を説明した図である。
【００５４】
図５（ａ）に示すように、制御部６は、突き当て部材５８ｅに用紙Ｐの先端が突き当てるため、排紙角度θ２となるように、排紙ローラ５７のＡ２方向に回転させる。
【００５５】
そして、制御部６は、排紙角度θ２の状態で、排紙ローラ５７に排紙させる。
【００５６】
これにより、図５（ｂ）に示すように、排紙ローラ５７により排紙された用紙Ｐは、突き当て部材５８ｅに到達し先端が突き当たる。
【００５７】
突き当て部材５８ｅに突き当たると、図５（ｃ）に示すように、用紙Ｐは速度がゼロとなり、そのまま排紙トレイ５９上に落下する。落下した用紙Ｐは排紙トレイ５９の傾斜に沿って排紙方向上流側へとスライド移動して排紙トレイ５９上に載置される。
【００５８】
このように、用紙Ｐは、排紙ローラ５７により排紙された後に、先端が突き当て部材５８ａ〜５８ｅに突き当たるので、用紙Ｐは突き当てられた突き当て部材５８ａ〜５８ｅを超えて飛ぶことはない。そのため、搬送経路上を搬送される用紙Ｐの搬送速度を上げることも可能となり、また、排紙する直前に搬送される用紙を減速させる必要がない。さらに、突き当て部材突き当て部材５８ａ〜５８ｅは、スキャナ部９の下面に設けることができるので、装置の省スペース化を実現しつつ、排紙トレイ５９で揃った状態で用紙Ｐを載置することができる。
【００５９】
なお、第１の実施の形態では、突き当て部材５８ａ〜５８ｅは、用紙Ｐの搬送方向に所定の間隔を空けて設けられていたが、これに限らず、用紙のサイズに応じた間隔を空けて設けられるようにしてもよい。例えば、排紙ローラ５７から突き当て部材５８までの距離を、用紙Ｐの搬送方向の長さに所定の長さを加算した距離となるように、突き当て部材５８ａ〜５８ｅを設ける。
【００６０】
これにより、用紙Ｐが排紙トレイ５９上に落下し、排紙トレイ５９上の傾斜に沿って排紙方向上流側へとスライド移動する距離を短く、さらに一定にすることができるので、より排紙トレイ５９で揃った状態で用紙Ｐを載置することができる。
【００６１】
（第２の実施の形態）
以下では、本発明の第２の実施の形態として、第１の実施の形態の用紙突き当て部５８と異なる形状の用紙突き当て部を有する排紙装置が適用される印刷装置１Ａを例に挙げて説明する。他の構成については、第１の実施の形態に係る印刷装置１が備える構成と同一であるので、説明を省略する。
【００６２】
図６は、本発明の第２の実施の形態に係る排紙装置が適用される印刷装置１Ａの用紙突き当て部５８Ａの説明図である。
【００６３】
用紙突き当て部５８Ａは、スキャナ部９の下面に設けられている。用紙突き当て部５８Ａは、第２排紙経路ＲＤ２を搬送されて排紙ローラ５７により排紙された用紙Ｐの先端を突き当てるための突き当て部材５８ｆ〜５８ｊを有している。突き当て部材５８ｆ〜５８ｊは、用紙Ｐの搬送方向に所定の間隔を空けて設けられている。突き当て部材５８ｆ〜５８ｊは、それぞれＢ１−Ｂ２方向に回転自在となるように上部がスキャナ部９に取り付けられている。突き当て部材５８ｆ〜５８ｊは、排紙ローラ５７側から順に重力方向の長さが長くなるように設けられている。
【００６４】
排紙ローラ５７により排紙された用紙Ｐは、突き当て部材５８ｆ〜５８ｊのいずれかに突き当たる。例えば、排紙ローラ５７が排紙角度θ１で用紙Ｐを排紙した場合、排紙した用紙Ｐは突き当て部材５８ｆに突き当たる。用紙Ｐの先端が突き当て部材５８ｆに突き当たると、その押圧力により突き当て部材５８ｆはＢ２方向に回転する。この回転により、用紙Ｐは跳ね返ることなく減速する。そして、突き当たった用紙Ｐはそのまま下方の排紙トレイ５９上に積載状態で集積される。
【００６５】
なお、排紙ローラ５７が排紙角度θ２で用紙を排紙し、排紙した用紙Ｐが突き当て部材５８ｊに突き当たる場合も突き当て部材５８ｆと同様に、突き当て部材５８ｊは、Ｂ２方向に回転する。突き当て部材５８ｇ〜５８ｉも同様である。
【００６６】
これにより、用紙Ｐの跳ね返りを抑制し、より用紙揃えの制度を向上させる。
【００６７】
（第３の実施の形態）
以下では、本発明の第３の実施の形態として、第１の実施の形態の用紙突き当て部５８と異なる形状の用紙突き当て部を有する排紙装置が適用される印刷装置１Ｂを例に挙げて説明する。他の構成については、第１の実施の形態に係る印刷装置１が備える構成と同一であるので、説明を省略する。
【００６８】
図７は、本発明の第３の実施の形態に係る排紙装置が適用される印刷装置１Ｂの用紙突き当て部５８Ｂの説明図である。
【００６９】
用紙突き当て部５８Ｂは、スキャナ部９の下面に設けられている。用紙突き当て部５８Ｂは、第２排紙経路ＲＤ２を搬送されて排紙ローラ５７により排紙された用紙Ｐの先端を突き当てるための突き当て部材５８ｋ〜５８ｐを有している。突き当て部材５８ｋ〜５８ｐは、用紙Ｐの搬送方向に所定の間隔を空けて設けられている。突き当て部材５８ｋ〜５８ｐは、排紙ローラ５７側から順に重力方向の長さが長くなるように設けられている。
【００７０】
第１の実施の形態の突き当て部材５８ａ〜５８ｅは、垂直な面に用紙Ｐが突き当たるように構成されているが、これに限らず、突き当て部材５８ｋ〜５８ｐのように、排紙ローラ５７により排紙された用紙Ｐが突き当たる角度であればどのような角度の面を有していてもよい。
【００７１】
これにより、第１の実施の形態に係る印刷装置１と同様に、排紙トレイ５９で揃った状態で用紙Ｐを載置することができる。
【００７２】
なお、突き当て部材５８ｋ〜５８ｐは、それぞれの突き当て面を有するが、排紙ローラ５７により排紙された用紙Ｐが突き当たる面を有していてもよい。例えば、段差を設けず、突き当て部材５８ｋ〜５８ｐが一体化したドーム状の曲面としてもよい。
【００７３】
（第４の実施の形態）
以下では、本発明の第４の実施の形態として、第１の実施の形態の用紙突き当て部５８と異なる形状の用紙突き当て部を有する排紙装置が適用される印刷装置１Ｃを例に挙げて説明する。他の構成については、第１の実施の形態に係る印刷装置１が備える構成と同一であるので、説明を省略する。
【００７４】
図８は、本発明の第４の実施の形態に係る排紙装置が適用される印刷装置１Ｃの用紙突き当て部５８Ｃの説明図である。
【００７５】
用紙突き当て部５８Ｃは、用紙Ｐの突き当て面に弾性部材が設けられた突き当て部材５８ｑ〜５８ｕを有している。
【００７６】
排紙ローラ５７により排紙された用紙は、いずれかの突き当て部材５８ｑ〜５８ｕに設けられた弾性部材に突き当たる。用紙Ｐは突き当て部材５８ｑ〜５８ｕの弾性部材に突き当たると、弾性部材の弾性力により用紙Ｐは跳ね返ることなく減速する。そして、突き当たった用紙Ｐはそのまま下方の排紙トレイ５９上に積載状態で集積される。
【００７７】
これにより、用紙Ｐの跳ね返りを抑制し、より用紙揃えの制度を向上させる。
【００７８】
なお、本発明の第４の実施の形態では、突き当て部材５８ｑ〜５８ｕの全てに弾性部材が設けられた例を挙げて説明したが、これに限らず、突き当て部材５８ｑ〜５８ｕのいずれかに弾性部材を設けるようにしてもよい。
【００７９】
なお、排紙ローラ５７から排紙された用紙Ｐが直線的に飛行するように、排紙ローラ５７に凹凸を設け、用紙Ｐの幅方向（搬送方向と直交する方向）に波打つコルゲーションを形成するようにしてもよい。
【００８０】
なお、本発明の実施例では突き当て部材が排紙ローラ５７側から順に重力方向の長さが長くなる例で説明したが、所定の空間と用紙サイズによっては突き当て部材を等しい長さにしてもよい。すなわち、排紙ローラ５７により排紙された用紙Ｐの先端が複数の突き当て部材のうちいずれかに突き当たるような長さで設けられていればよい。
【００８１】
本発明は、上記実施の形態に限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除しても良い。
【００８２】
（付記）
本出願は、以下の発明を開示する。
【００８３】
（付記１）
搬送される用紙を排紙トレイ上に排紙する排紙手段と、
前記排紙トレイの上方に所定の空間を有して配置され、前記排紙手段により排紙された用紙の先端が突き当たる突き当て部材が排紙方向に沿って複数設けられた用紙突き当て部と、
前記排紙手段から排紙される用紙のサイズに応じて、前記排紙手段により前記複数の突き当て部材のいずれかに向けて排紙する排紙角度を制御する制御手段と、
を備えたことを特徴とする排紙装置。
【００８４】
そのため、用紙は、排紙手段により排紙された後に、先端が突き当て部材に突き当たるので、用紙は突き当てられた突き当て部材を超えて飛ぶことはない。これにより、搬送経路上を搬送される用紙の搬送速度を上げることも可能となり、また、排紙する直前に搬送される用紙を減速させる必要がない。このように、速い搬送速度を維持した状態で排紙し、排紙した用紙を排紙トレイで揃った状態で載置することができる。
【００８５】
さらに、突き当て部材突き当て部材は、排紙トレイの上方に所定の空間を有して配置されるので、排紙トレイの上方に、例えば、スキャナなどを設置し、そのスキャナの下面に設けることができる。そのため、装置の省スペース化を実現することもできる。
【００８６】
（付記２）
前記用紙突き当て部材は、前記排紙手段側から順に重力方向の長さが長くなるように複数設けられている
ことを特徴とする（付記１）記載の排紙装置。
【００８７】
これにより、より確実に突き当て部材に用紙を突き当てる事ができる。
【００８８】
（付記３）
前記複数の突き当て部材は、それぞれ前記排紙方向と直交する幅方向を回転軸として回転自在に上端が吊り下げ設けられている
ことを特徴とする（付記１）または（付記２）記載の排紙装置。
【００８９】
そのため、排紙手段により排紙された用紙は、突き当て部材のいずれかに突き当たる。用紙の先端が突き当て部材に突き当たると、その押圧力により突き当て部材は回転する。この回転により、用紙は跳ね返ることなく減速する。そして、突き当たった用紙はそのまま下方の排紙トレイ上に積載状態で集積される。
【００９０】
これにより、用紙の跳ね返りを抑制し、より用紙揃えの制度を向上させることができる。
【００９１】
（付記４）
前記複数の突き当て部材は、少なくとも前記排紙手段側に弾性部材を設けている
ことを特徴とする（付記１）または（付記２）記載の排紙装置。
【００９２】
そのため、排紙手段により排紙された用紙は、いずれかの突き当て部材に設けられた弾性部材に突き当たる。用紙は突き当て部材の弾性部材に突き当たると、弾性部材の弾性力により用紙は跳ね返ることなく減速する。そして、突き当たった用紙はそのまま下方の排紙トレイ上に積載状態で集積される。
【００９３】
これにより、用紙Ｐの跳ね返りを抑制し、より用紙揃えの制度を向上させることができる。
【符号の説明】
【００９４】
１，１Ａ，１Ｂ，１Ｃ  印刷装置
２  給紙部
３  印刷部
４  循環搬送部
５  排紙部
６  制御部
７  筐体
７Ａ  装置本体
８  記憶部
９  スキャナ部
９Ａ  スキャナ台
１０  操作パネル
１１  外部給紙台
１２  外部給紙ローラ
１３Ａ，１３Ｂ  内部給紙台
１４Ａ，１３Ｂ  内部給紙ローラ
３１  レジストローラ
３３  ベルト搬送部
３４  ベルトモータ
３５  ヘッドユニット
５７  排紙ローラ
５８，５８Ａ，５８Ｂ，５８Ｃ  用紙突き当て部
５８ａ〜５８ｕ  突き当て部材
５９  排紙トレイ
【図１】
2020050513.tif 000003
【図２】
2020050513.tif 000004
【図３】
2020050513.tif 000005
【図４】
2020050513.tif 000006
【図５】
2020050513.tif 000007
【図６】
2020050513.tif 000008
【図７】
2020050513.tif 000009
【図８】
2020050513.tif 000010